(57)【要約】少なくとも２つの異なるサービスのソース（２２、２４、２６、２８）によって供給されることができるサービスを、検出するシステム（１６）は、少なくとも２つのソースによって、少なくとも２つの異なるサービス記述フォーマットにおいて供給されるサービスに関する情報を取得する手段（３２、３４、３８、４０）と；１つの同じ共通のサービス記述フォーマットに、該共通のサービス記述フォーマットとは異なるサービス記述フォーマットにおいて取得された情報を変換する手段（３８、４０）と；統一された形態の情報の提示に適応化された前記共通の記述フォーマットにおける、サービスに関する情報を、ユーザの自由にさせる手段（３０、３２、４２）と；を有する。
2006509412.tif 000002
【特許請求の範囲】
【請求項１】
少なくとも２つの異なるサービスのソースによって供給されることができるサービスを検出するシステムであって、
―  少なくとも２つの前記ソースによって、少なくも２つの異なるサービス記述フォーマットにおいて供給されるサービスに関する情報を取得する手段と；
―  １つの同じ共通のサービス記述フォーマットに、該共通のサービス記述フォーマットと異なるサービス記述フォーマットにおいて取得される情報を変換する手段と；
―  統一された形態において情報を提示するように適応化された前記共通のサービス記述フォーマットにおける、サービスに関する情報を、ユーザの自由にさせる手段と；
を有する、サービスを検出するシステム。
【請求項２】
前記共通のサービス記述フォーマットにおけるサービスに関する情報を管理するモジュールを有することを特徴とする、請求項１に記載のサービスを検出するシステム。
【請求項３】
管理モジュールとインターフェースされており、前記共通のサービス記述フォーマットにおいて情報を記憶する、データベースを有することを特徴とする、請求項２に記載のサービスを検出するシステム。
【請求項４】
前記共通のサービス記述フォーマットが、ＳＤＰ―ＮＧフォーマットであることを特徴とする、請求項１ないし３のいずれか一項に記載のサービスを検出するシステム。
【請求項５】
前記ユーザの自由にさせる手段が、前記共通のサービス記述フォーマット用の情報を、利用フォーマットに変換するモジュールと、前記サービスに関する情報を、前記統一された形態に従う前記利用フォーマットにおいて提示する電子番組ガイドを形成するモジュールとを有することを特徴とする、請求項１ないし４の何れか一項に記載のサービスを検出するシステム。
【請求項６】
サービスに関する情報を、直接的に前記利用フォーマットにおいて受信するのに適している処理モジュールを有することと、前記処理モジュールが、前記ユーザに、前記統一された形態に従う前記利用フォーマットにおいて、サービスに関する情報を提示する電子番組ガイドモジュールとインターフェースされていることとを特徴とする、請求項５に記載のサービスを検出するシステム。
【請求項７】
前記利用フォーマットが、ＤＶＢ−ＳＩプロトコルに基づく前記サービス記述フォーマットであることを特徴とする、請求項５又は６に記載のサービスを検出するシステム。
【請求項８】
デジタルテレビジョンサービスを受信するデコーダであって、請求項１ないし７のいずれか一項に記載のサービスを検出するシステムを有することを特徴とする、デコーダ。
【請求項９】
少なくとも２つの異なるサービスソースによって供給されることができるサービスを検出する方法であって、
―  少なくとも２つのソースによって、２つの異なるサービス記述フォーマットにおいて供給されるサービスに関する情報を取得するステップと；
―  １つの同じ共通のサービス記述フォーマットに、該共通のサービス記述フォーマットと異なるサービス記述フォーマットにおいて取得された情報を変換するステップと；
―  統一された形態における前記情報の提示に従って、前記共通のサービス記述フォーマットにおけるサービスに関する情報を、ユーザの自由にさせるステップと；
を有することを特徴とする、方法。
【請求項１０】
コンピュータプログラムがデータ処理手段によって使用された場合に、請求項９に記載の方法のステップを実施する一組の命令を有する、該コンピュータプログラム。
【発明の詳細な説明】
【技術分野】
【０００１】
本発明は、少なくとも２つの異なるサービスのソースによって供給されるサービスを、検出するシステム及び方法に関する。
【０００２】
本発明は、前記のような方法を使用するコンピュータプログラムと、この方法を使用するデコーダとにも関する。
【０００３】
「番組」及び「サービス」という語は、以下で、適応化された再生装置によって再生されることができる一連の画像及び／又は音声を示すのと無関係に、使用される。
【背景技術】
【０００４】
デジタルテレビジョンシステムのような、オーディオビジュアル番組をユーザの自由に任せている現行の機器は、多数の異なるソースからの番組又はサービスを受信することができる。これらのサービスは、衛星から又は有線ネットワークを経由しての、データストリームを確立する放送者によって供給されることができる。これらは、送信機サイトへの接続の後にインターネットを経由して、又はハードディスクのようなローカル又は遠隔の担体上のデータを読み出すことによって、供給されることもできる。
【０００５】
前記のようなデジタルテレビジョンシステムのユーザは、サービスの検出を可能にする手段の自由裁量権（disposal）を有する。これらの手段は、ユーザが、自身の自由にできるものから所望のサービスを選択することができるように、放送のタイムテーブル、番組の継続期間、そのタイトル及びコンテンツの概要のような、前記サービスに関する情報を供給する。
【０００６】
しかしながら、各サービスのソースは、提案されているサービスに関する情報を供給するのに、特有のプロトコルを使用している。特に、各ソースに特有の、サービス記述フォーマットが使用されている。前記サービス記述フォーマットは、供給される情報の性質とその構造とを指定する。
【０００７】
従って、各サービスのソースは、受信機器における使用に適したサービスを検出するシステムの使用を必要とする。前記サービスに関する情報の供給を可能にするインターフェースも、各サービスのソースに特有なものである。従って、ユーザは、自身が申し込んでいる放送者によって供給されるサービスを知るための第１インターフェースを使用する第１システムと、専用サーバへの接続によってインターネットを経由して提案されているサービスを知るための第２インターフェースを備えている第２システムと、ハードディスク上に記憶されたローカル又は遠隔のデータベースによって提案されているサービスを知るための他のインターフェースを備えている他のシステムとを、使用しなければならない。
【発明の開示】
【発明が解決しようとする課題】
【０００８】
種々の提案されているサービスを知ることは、サービスを検出するシステムが、ソースの種類と、特に、使用される通信プロトコルとに応じて異なるので、ユーザにとって扱いにくい。
【０００９】
更に、前記デジタルテレビジョンシステムは、ユーザが、自身に提案されている全サービスを知ることができるようにするために、サービスを検出する種々のシステムを含まなければならない。
【００１０】
従って、前記テレビジョンシステムの構成は、複雑化されて、高価なものになる。
【００１１】
本発明の目的は、簡潔な態様で使用されることができ、ユーザにとって慣習的である、デジタルテレビジョンサービスを検出するシステムを提供することにある。
【課題を解決するための手段】
【００１２】
このために、本発明は、少なくとも２つの異なるサービスのソースによって供給されることができるサービスを検出するシステムに関し、前記システムは、
―  少なくとも２つのソースによって、少なくとも２つの異なるサービス記述フォーマットにおいて供給されるサービスに関する情報を取得する手段と；
―  １つの同じ共通のサービス記述フォーマットに、前記共通のサービス記述フォーマットと異なるサービス記述フォーマットにおいて取得された情報を、変換する手段と；
―  統一された形態において情報を提示するように適応化された、前記共通のサービス記述フォーマットにおけるサービスに関する情報を、ユーザの自由にさせる手段と；
を有する。
【００１３】
特定の実施例によれば、当該装置は、
―  これが、前記共通のサービス記述フォーマットにおいて、サービスに関する情報を管理するためのモジュールを有すること；
―  これが、前記共通のサービス記述フォーマットにおいて、情報を記憶する管理モジュールにインターフェースされているデータベースを有すること；
―  前記共通のサービス記述フォーマットは、ＳＤＰ―ＮＧフォーマットであること；
―  前記ユーザの自由にさせる手段が、前記共通の記述サービスフォーマット用の情報を、利用フォーマットに変換するモジュールを有し、電子番組ガイドモジュールが、前記統一された形態に従う前記利用フォーマットにおいて、前記サービスに関する情報を提示すること；
―  これが、前記利用フォーマットにおいて直接的に、サービスに関する情報を受け取るのに適している処理モジュールを有し、該処理モジュールは、ユーザに、前記統一された形態に従う利用フォーマットにおいてサービスに関する情報を提示する電子番組ガイドモジュールと、インターフェースされていること；及び
―  前記利用フォーマットは、ＤＶＢ―ＳＩプロトコルに基づくサービス記述フォーマットであること；
というフィーチャの、１つ又はいくつかを有する。
【００１４】
本発明の目的は、デジタルテレビジョンサービスを受信するデコーダであって、以下に規定されるサービスを検出するシステムを有することを特徴とするデコーダを提供することにもある。
【００１５】
本発明の他の目的は、少なくとも２つの異なるサービスのソースによって供給されることができるサービスを検出する方法であって、該方法が、
―  少なくとも２つのソースによって、２つの異なるサービス記述フォーマットにおいて供給されるサービスに関する情報を取得するステップと；
―  １つの同じ共通のサービス記述フォーマットに、該共通のサービス記述フォーマットとは異なるサービスク記述フォーマットにおいて取得された情報を、変換するステップと；
―  前記共通の記述フォーマットにおけるサービスに関する情報を、統一された形態における前記情報の提示によって、ユーザの自由にさせるステップと；
を有することを特徴とする、方法を提供することにある。
【００１６】
本発明の別の目的は、コンピュータプログラムが、データ処理手段によって使用された際に、上述の方法のステップを実行する一組の命令を有する該コンピュータプログラムを提供することにある。
【発明を実施するための最良の形態】
【００１７】
本発明は、一例として、添付図面を参照して、以下の記載を読むことによって、より良く理解されることができるであろう。
【００１８】
図１は、デジタルテレビジョン設備１０を示している。
【００１９】
これ自体は知られているように、この設備は、デコーダ１４に接続されているテレビジョン装置１２を有し、該デコーダ１４は、次いで、番組又はサービスのソースの集合１５に接続されている。
【００２０】
デコーダ１４は、異なるサービスのソースから受信されるデータを、これらのデータが、特にスクリーン上の表示及び音声再生の制御を目的として、テレビジョン装置１２によって使用されることができる形態にするように、デコードし調節する手段を有する。
【００２１】
受信されたデータをデコードし調節する、これらの手段は、既知のものであり、詳しくは記載しない。
【００２２】
更に、デコーダ１４は、全体的に符号１６によって示されている、サービスを検出するシステムを有する。本発明によれば、この検出システムは、異なる記述フォーマットにおける、いくつかのサービスのソースからの情報を取得し、該情報を、元の記述フォーマットにかかわらず、統一された提示によってユーザが自由にできるようにする。
【００２３】
これらのサービスのソースは、例えば、番組を永続的に放送するソース２２を有し、該ソースには、例えば、衛星受信機を介して、又は番組の放送用の有線ネットワークへの接続によって、前記デコーダが接続されている。
【００２４】
この放送ソースは、ＤＶＢ−ＳＩ（デジタルビデオ放送セクション情報）プロトコルによって規定されている、適切なサービス記述フォーマットにおいて提案されているサービスに関する情報を、デコーダ１４に、周期的に送っている。この情報は、ＳＩ（セクション情報）テーブルと、特にＳＤＴ（サービス記述テーブル）及びＥＩＴ（イベント情報テーブル）とにおいて、与えらえる。
【００２５】
ＤＶＢ−ＳＩプロトコルは、ＤＶＢ（デジタルビデオ放送）標準化グループによって指定されている。
【００２６】
デコーダ１４は、第２のローカルソース２４にも接続されている。このソースは、例えば、一組のビデオ番組が記憶されているハードディスクによって、構成されている。これらの番組に関する情報は、前記ハードディスク上でアクセス可能である。これは、ＮＦＳ（ネットワークファイルシステム）プロトコルによって規定されている適切なサービス記述フォーマットにおいて記憶されている。
【００２７】
デコーダ１４は、インターネットを経由して、第１サーバ２６にも接続されている。このサーバは、ＳＡＰ（セッション・アナウンスメント・プロコル）と共に使用されるＳＤＰ−ＮＧ（サービス記述プロトコル-次世代）サービス記述フォーマットを使用することにより、アクセス可能なサービスに関する情報を、デコーダ１４に、供給する。
【００２８】
ＳＤＰ―ＮＧサービス記述フォーマットは、ＤＶＢ−ＩＰＩ（インターネット・プロトコル・インフラストラクチャ上のデジタルビデオ放送）規格化グループによって、提案されている。
【００２９】
デコーダ１４は、提案されているサービス記述フォーマットとして、ＲＴＳＰ（リアルタイム・ストリーミング・プロトコル）プロトコルによって認定されているフォーマットを使用して、第２サーバ２８からの情報を、インターネットを経由して受信するのに適している。ＲＴＳＰプロトコルは、いくつかの種類のサービス記述フォーマット（特にＳＤＰ―ＮＧ、ＳＤＰ又はＸＭＬ）を認定している。
【００３０】
サービスの検出を確実にするように、システム１６は、ＥＰＧ（電子番組ガイド）モジュール３０を有する。このＥＰＧモジュール３０は、特に、各ソースから利用可能であるサービスに関して、通知されたいと願うユーザによる要求の形成を可能にする。この要求は、主に、リモコンによって、メニューをスクロールすることによって、形成される。モジュール３０は、利用可能なサービスに関する情報の受信及び処理を確実にし、該情報は、ＤＶＢ―ＳＩプロトコルに適しているサービス記述フォーマットのものである。この記述フォーマットは、利用フォーマットを構成する。
【００３１】
モジュール３０は、ユーザの制御下で、アクセス可能なサービスに関する情報の、提示及び特にテレビジョン装置１２のスクリーンにおける表示を、確実にするのに適している。この情報は、元のソースにかかわらず、統一された形態で供給される。統一された形態での供給は、前記情報が、その出所にかかわらず、同一の問い合わせインターフェース（interrogation interface）を介して要求されることができ、同一の順序、同一の提示、及び同一のグラフィックカードの使用によって、表示されることを意味する。
【００３２】
当該サービス検出システムは、ＥＰＧモジュール３０とインターフェースされており、ＳＩプロトコルに適したサービス記述フォーマットにおける情報を処理するモジュール３２を有する。この処理モジュール３２は、ＤＶＢ−ＭＨＰ（マルチメディア・ホーム・プラットフォーム）において規定されているＪＡVＡ ＴＶ言語における、ＥＰＧモジュール３０からの要求を受信するのに適している。
【００３３】
処理モジュール３２は、特に、ＤＶＢ−ＳＩプロトコルによって規定されている、各周期的な更新の間、ソース２２からの情報を受信する。要求の後、モジュール３２は、ソース２２に関する番組情報を、ＥＰＧモジュール３０に送るのに適している。
【００３４】
更に、サービス検出システム１６は、前記サービス記述用に、ＳＤＰ−ＮＧフォーマットにおける情報を管理するモジュール３４を有する。この管理モジュール３４は、以下の記載において、ＳＤＰ−ＮＧ管理モジュールと示す。
【００３５】
この管理モジュール３４は、データベース３６と、インターフェースされており、該データベース３６は、デコーダ１４と一体化されており、ソース２４、２６又は２８によって供給されるサービスに関する情報を記憶する。この情報の全ては、ＳＤＰ―ＮＧサービス記述フォーマットにおいて記憶される。このフォーマットは、いくつかの異なるソースに関する情報の記憶用の共通のサービス記述フォーマットとなる。
【００３６】
ＳＤＰ―ＮＧ管理モジュール３４は、データベース３６内の情報を記録し、前記情報を検索し読み出す手段を有する。これは、デコーダ１４がソース２６に接続されている場合に、ＳＡＰプロトコルを使用してソース２６によって供給される、ＳＤＰ−ＮＧフォーマットにおける情報の、直接的な受信もする。
【００３７】
検出システム１６は、ハードディスクのような記憶手段から成るソース２４によって供給される情報を、処理するモジュール３８を有する。前記サービスに関するこの情報は、ＮＦＳ（ネットワークファイルシステム）プロトコル用のサービス記述フォーマットにおいて、受信される。
【００３８】
ＮＦＳ処理モジュールと呼ばれる、この処理モジュール３８は、ソース２４によって提案されているサービスに関する情報を受信するように、ソース２４に、ＮＦＳプロトコルに従って、要求を定期的に述べるのに適している。
【００３９】
ＮＦＳ処理モジュール３８は、ＮＦＳプロトコルに適しているサービス記述フォーマットにおいて受信される情報の、ＳＤＰ−ＮＧフォーマットにおける情報への変換を、確実にする手段を有する。
【００４０】
同様に、検出システム１８は、ＲＴＳＰプロトコルを使用するサービスのソースと通信するのに適している処理モジュール４０を有する。
【００４１】
ＲＴＳＰ処理モジュールと呼ばれる、この処理モジュール４０は、特に、供給されているサービスに関する情報の獲得し、ＲＴＳＰプロトコルによって使用されているサービス記述フォーマットの１つにおいて受信されるこの情報の取得して処理するための要求を、ソース２８に、定期的に送る。
【００４２】
この処理モジュール４０は、ＲＴＳＰプロトコルによって使用されるサービス記述フォーマットに関する情報の、ＳＤＰ−ＮＧフォーマットにおける情報への変換も確実にする。
【００４３】
ＮＦＳ及びＲＴＳＰ処理モジュール３８及び４０の両方は、ソース２４及び２８によって提案されているサービスに関する情報を、ＳＤＰ―ＮＧ管理モジュール３４に周期的に提供するように、該ＳＤＰ―ＮＧ管理モジュール３４にインターフェースされている。この情報は、ＳＤＰ−ＮＧサービス記述フォーマットにおいて、前記ＳＤＰ−ＮＧ管理モジュールに供給される。
【００４４】
最後に、検出システム１８は、ＳＤＰ―ＮＧサービス記述フォーマットにおけるサービスに関する情報を、ＤＶＢ−ＳＩプロトコルにおいて使用されているサービス記述フォーマットにおける情報に変換するモジュール４２を有する。このモジュール４２は、管理モジュール３４からのＳＤＰ―ＮＧフォーマットにおける情報を取得し、この情報を、変換後に、ＳＩ処理モジュール３２に送るように、管理モジュール３４とＳＩ処理モジュール３２とにインターフェースされている。
【００４５】
更に、ＳＩ処理モジュール３２は、要求を形成し、これらの要求を、変換モジュール４２に送るのに適している。これらの要求は、ソース２４、２６及び２８によって提案されているサービスに関する情報を取得するためのものである。これらの要求は、ベース３６において前記要求に対応する情報を検索するように、変換モジュール４２によって、ＳＤＰ―ＮＧ管理モジュール３４に送信される。
【００４６】
サービス検出システム１６を構成している異なるモジュールの機能は、基本的な機能が以下に記載される、特有のプログラムを使用するマイクロプロセッサのようなコンピュータによって実施される、デジタル処理動作によって、確実にされる。
【００４７】
図２及び３は、動作の異なる段階におけるサービス検出システムの動作を示す図である。
【００４８】
デジタルテレビジョン受信システムの動作の間、処理モジュール３８及び４０は、ソース２４及び２８それぞれによって、提案されているサービスに関する情報を、定期的な周波数で要求する。これらは、この情報を、ＳＤＰ―ＮＧフォーマットへの変換の後に、管理モジュール３４に送る。後者は、処理モジュール３８及び４０から受信された情報に基づいて、データベース３６の更新を確実にする。
【００４９】
このため、図２に示されているように、モジュール３８及び４０は、ソース２４及び２８に、それぞれ、ＮＦＳ及びＲＴＳＰプロトコルに従って、要求５０、５１を送る。ソース２４及び２８は、モジュール３８及び４０に情報メッセージ５４、５６を返す。モジュール３８及び４０は、受信された前記情報の、ＳＤＰ−ＮＧサービス記述フォーマットへの変換を確実にする。この情報は、５８、６０において、管理モジュール３４に通信される。管理モジュール３４は、前記情報を、データストリーム６２、６４を介して、記憶手段３６に保存する。
【００５０】
ソース２６は、メッセージ７２内のＳＤＰ―ＮＧフォーマットにおける前記情報を、管理モジュール３４に、定期的に送る。この情報７４は、次いで、ＳＤＰ―ＮＧ管理モジュール３４によってデータベース３６内に記憶される。
【００５１】
このメッセージは、ＳＡＰプロトコルを使用して通信される。
【００５２】
異なるソースによって提案されているサービスについて、通知されたいと願っているユーザは、ソースを指定する要求を、例えば、リモコンによって、デコーダ１４に送る。この動作の段階は、図３に示されている。
【００５３】
選択された前記ソースが、ソース２２である場合、ＥＰＧモジュール３０は、次いで、要求１００をＳＩ処理モジュール３２に述べ、該ＳＩ処理モジュールはソース２２によって供給されるサービスに関して最後に受信された情報を含むメッセージ１０２を、ＥＰＧモジュール３０に返す。
【００５４】
対照的に、ユーザによる前記要求が、図３の下部に示されているように、ソース２４、２６及び２８のうちの１つに関する場合、ＥＰＧモジュール３０は、ＳＩ処理モジュール３２に、要求２００を述べ、該ＳＩ処理モジュール３２は、対応する要求２０２を変換モジュール４２に送信し、該変換モジュール４２自体は、同一の要求２０４を、管理モジュール３４に、送る。管理モジュール３４は、要求２０６によって、ベース３６に問い合わせ、次いで、検索された情報２０８を取得する。この情報は、２１０において、変換モジュール４２に返される。前記変換モジュール４２は、この情報の、ＤＶＢ―ＳＩプロトコルと、これによる処理モジュール３２への２１２における通信とに適しているフォーマットへの変換を確実にする。前記情報は、次いで、２１４において、処理モジュール３２によって、ユーザの自由にさせるように、ＥＰＧモジュール３０に伝送される。
【００５５】
当該サービス検出システムが、これらのサービスを生じるソースに関わらず、たとえ、これらのソースが異なるサービス記述フォーマットを使用している異なるプトコルを使用している場合でも、統一された形態におけるサービスに関する情報を、ユーザが自由にできるようにするようにすることが考えられる。
【００５６】
異なるサービス記述フォーマットにおける情報を、１つの同じ共通のサービス記述フォーマットに変換する手段を設けることにより、１つの同じ電子番組ガイドであって、この管理が簡潔化され、サービスを生じるソースに応じて、いくつかの異なるサービス検出システムを使用しないで、ユーザによって簡単に記憶されることのできる、１つの同じ電子番組ガイドの使用が可能になる。
【００５７】
本発明による解決策は、変形される必要なく、ＭＨＰ、ＪＡＶＡ ＴＶに、従ってＤＶＢ−ＳＩに基づく、現行の「ＥＰＧ」電子番組ガイドで使用されることができるので、特に経済的である。このことは、モジュール４２によって、電子番組ガイドの前記要求において、慣習的なＳＩテーブル（ＥＩＴ）に変換されている、前記統一された形態のおかげで、実現可能である。
【図面の簡単な説明】
【００５８】
【図１】本発明によるサービスを検出するシステムを使用する、デジタルテレビジョン受信システムの図である。
【図２】本発明によるサービスを検出するシステムの異なるユニット間のデータストリームを示す図である。
【図３】本発明によるサービスを検出するシステムの異なるユニット間のデータストリームを示す図である。
【図１】
2006509412.tif 000003
【図２】
2006509412.tif 000004
【図３】
2006509412.tif 000005
【国際調査報告】
2006509412.tif 000006
2006509412.tif 000007
2006509412.tif 000008